(57)【要約】【課題】複数集めて積層した場合でも一方向に傾くことのない証明カードを提供する。【解決手段】証明カード１０はカード基材１１と、カード基材１１の表面１１ａに設けられた第１凸部１５、第２凸部１６ａ、１６ｂおよび第３凸部１７とを備えている。第１凸部１５は図形又は文字を含み、カード基材１１の右側下方に配置されている。第２凸部１６ａ、１６ｂはマイクロ文字を含み、カード基材１１の左側上方および下方に配置されている。第３凸部１７はマイクロ文字を含み、カード基材１１の右側上方に配置されている。第１凸部１５、第２凸部１６ａ、１６ｂおよび第３凸部１７は、いずれも同一高さを有し、カード基材１１と一体に同一材料で形成されている。【選択図】図１
2015077748.tif 000002
【特許請求の範囲】
【請求項１】
証明カードにおいて、
矩形状カード基材と、
カード基材の一方の面に設けられた第１凸部および第２凸部とを備え、
第１凸部はカード基材の一側に配置されるとともに、第２凸部はカード基材の他側に配置され、
第１凸部は図形又は文字を含み、第１凸部の高さと第２凸部の高さは同一となっており、かつ第１凸部と第２凸部はカード基材と同一材料で一体に形成されていることを特徴とする証明カード。
【請求項２】
第２凸部は図形又は文字を含むことを特徴とする請求項１記載の証明カード。
【請求項３】
第２凸部は凸レンズを含むことを特徴とする請求項１記載の証明カード。
【請求項４】
第２凸部はマイクロ文字を含むことを特徴とする請求項１記載の証明カード。
【請求項５】
第１凸部および第２凸部は、１〜５０μｍの高さを有することを特徴とする請求項１乃至４のいずれか記載の証明カード。
【発明の詳細な説明】
【技術分野】
【０００１】
本発明は、クレジットカード、キャッシュカード等の磁気カード、あるいはＩＣカード等の証明カードに関する。
【背景技術】
【０００２】
従来より、クレジットカード、キャッシュカード等の磁気カード、あるいはＩＣカード等の証明カードとして、矩形状カード基材を有するものが知られている。
【０００３】
このような証明カードとして、カード基材の上面に突起を設け、積層された証明カード同士が擦れたり、表面に傷がつくことを防止する証明カードがある。
【先行技術文献】
【特許文献】
【０００４】
【特許文献１】特開２００９−２１４４８４号公報
【発明の開示】
【発明が解決しようとする課題】
【０００５】
上述のように従来より、カード基材の上面に突起を設けた証明カードが知られている（特許文献１参照）。
【０００６】
特許文献１に示された証明カードにおいて、カード基材の上面に設けられた突起は積層された証明カード同士が擦れたり傷が付くことを防止するためのものなので、高さが０．０１〜０．０２ｍｍと極めて小さな形状をもつ。
【０００７】
またこのような突起は、カード基材の上面に印刷を施すことにより、カード基材と異なる材料により形成される。このため擦れ等により突起が剥離することがあり、また突起を形成するために印刷工程が必要となるので、製造コストが増加する。
【０００８】
他方、突起により図形または文字を形成することができれば、意匠性を向上させることができて都合が良い。
【０００９】
本発明はこのような点を考慮してなされたものであり、図形又は文字を含む、所定高さの凸部を有するとともに、複数集めて積層した場合に、全体として傾くことがなく、さらに凸部を容易に製造することができ、擦れによって凸部が剥離することのない証明カードを提供することを目的とする。
【課題を解決するための手段】
【００１０】
本発明は、証明カードにおいて、矩形状カード基材と、カード基材の一方の面に設けられた第１凸部および第２凸部とを備え、第１凸部はカード基材の一側に配置されるとともに、第２凸部はカード基材の他側に配置され、第１凸部は図形又は文字を含み、第１凸部の高さと第２凸部の高さは同一となっており、かつ第１凸部と第２凸部はカード基材と同一材料で一体に形成されていることを特徴とする証明カードである。
【００１１】
本発明は、第２凸部は図形又は文字を含むことを特徴とする証明カードである。
【００１２】
本発明は、第２凸部は凸レンズを含むことを特徴とする証明カードである。
【００１３】
本発明は、第２凸部はマイクロ文字を含むことを特徴とする証明カードである。
【００１４】
本発明は、第１凸部および第２凸部は、１〜５０μｍの高さを有することを特徴とする証明カードである。
【発明の効果】
【００１５】
本発明によれば、複数の証明カードを集めて積層して配置した場合でも、証明カードが全体として傾くことはない。
【００１６】
また第１凸部は図形又は文字を含むため、意匠性が向上するとともに、図形又は文字を触ることにより真偽判定が容易となる。また図形又は文字を含む第１凸部は通常の複写機では再現することがむずかしく、偽造防止効果が向上する。さらにまた、第１凸部と第２凸部はカード基材と同一材料で一体に形成されているため、証明カードを容易に製造することができ、かつ擦れによって第１凸部又は第２凸部が剥離することはない。
【図面の簡単な説明】
【００１７】
【図１】図１は本発明による証明カードの一実施の形態を示す平面図。
【図２】図２は本発明による証明カードの一実施の形態を示す裏面図。
【図３】図３は本発明による証明カードを積層した状態を示す側面図。
【図４】図４は本発明による証明カードのカード基材の層構成を示す図。
【図５】図５は平坦プレートと成形プレートとの間で積層体のシートを加熱圧縮する状態を示す図。
【図６】図６は証明カードの変形例を示す平面図。
【図７】図７は証明カードの変形例を示す平面図。
【図８】図８は証明カードの変形例を示す平面図。
【図９】図９は比較例としての証明カードを示す平面図。
【図１０】図１０は比較例としての証明カードを積層した状態を示す側面図。
【発明を実施するための形態】
【００１８】
以下、図面を参照して本発明の実施の形態について説明する。
【００１９】
ここで図１乃至図５は本発明による証明カードの実施の形態を示す図である。
【００２０】
図１乃至図５に示すように、証明カード１０はクレジットカード、キャッシュカード等の磁気カードあるいはＩＣカード等からなる。本実施の形態において、証明カード１０としては、ＩＣ１９を含むＩＣカードの例を用いて説明する。
【００２１】
証明カード１０は表面１１ａと裏面１１ｂとを有する矩形状のカード基材１１を含み、カード基材１１には印字された印字部１２が形成されている。この印字部１２はレーザエングレーブ、インクジェット、サーマルヘッドプリンタによる昇華転写、昇華転写と熱溶融インキの熱転写の併用、オフセット印刷、シルク印刷等により形成される。
【００２２】
印字部１２は証明カード１０の所有者の個別情報、例えば顔画像、氏名、住所、生年月日、性別、社員番号等の情報を含む。
【００２３】
また、カード基材１１の表面１１ａには、図形又は文字を含む第１凸部１５と、第１凸部１５以外の第２凸部１６ａ、１６ｂとが設けられている。このうち図形又は文字を含む第１凸部１５はカード基材１１の中心部より右側の領域（以下、右側又は一側ともいう）に配置され、第２凸部１６ａ、１６ｂはカード基材１１の中心部より左側の領域（以下、左側又は他側ともいう）に配置されている（図１参照）。
【００２４】
また第２凸部１６ａ、１６ｂはマイクロ文字を含んでいる。さらにカード基材１１の右側には、第２凸部１６ａ、１６ｂ以外のマイクロ文字を含む第３凸部１７が設けられている。
【００２５】
これら第１凸部１５、第２凸部１６ａ、１６ｂ、および第３凸部１７は、いずれもカード基材１１と一体に、カード基材１１の材料と同一の材料で形成されている。
【００２６】
図１に示すように、第１凸部１５はカード基材１１の右下に配置され、第２凸部１６ａ、１６ｂはカード基材１１の左上および左下に配置され、第３凸部１７はカード基材１１の右上に配置されている。
【００２７】
さらに第２凸部１６ａ、１６ｂおよび第３凸部１７は、上述のように例えば「Ｊ」「Ｎ」「Ｐ」のようなマイクロ文字を含み、証明カード１０の偽造防止機能をもつ。
【００２８】
第１凸部１５、第２凸部１６ａ、１６ｂおよび第３凸部１７はいずれも同一高さを有しており、このため複数の証明カード１０を集めて積層した場合でも、後述のように傾くことはなく略水平の姿勢を保つことができる。
【００２９】
また第１凸部１５は、図形又は文字を含むため、所定の高さを有する必要があり、第１凸部１５に合わせて、第２凸部１６ａ、１６ｂおよび第３凸部１７は、１〜５０μｍの高さをもつ。
【００３０】
この場合、第１凸部１５、第２凸部１６ａ、１６ｂおよび第３凸部１７の高さが１μｍより小さいと、第１凸部１５により図形又は文字を視認することがむずかしく、第１凸部１５、第２凸部１６ａ、１６ｂおよび第３凸部１７の高さが５０μｍより大きいと、複数の証明カード１０を積層した場合に全体としてかさ高となってしまう。
【００３１】
ところで、平面視でみて、各第１凸部１５の平均面積はカード全体の面積に対し約１２％、各第２凸部１６ａ、１６ｂの平均面積はカード全体の面積に対し約０．０１％、各第３凸部１７の平均面積はカード全体の面積に対し約０．０１％となっている。
【００３２】
ここで、平面視でみた平均面積とは、平面視でみた場合の各第１凸部１５、各第２凸部１６ａ、１６ｂ、各第３凸部１７により形成される図形又は文字等の平均平面積をいう。
【００３３】
例えば、図１において、第１凸部１５により形成された花びらの平均面積、あるいは山形形状により囲まれる領域の平均面積をいう。
【００３４】
また、例えば図６において、第１凸部１５により形成された花びらの平均面積、あるいは山形形状により囲まれる領域の平均面積をいう。図６に示す山形形状の場合、山形形状の下方は開放されているので、山形形状により囲まれる領域は、山形形状の下方において便宜上山形形状の左側の稜線下端からカード基材１１の右側縁に引いた水平線Ｌにより規定される。
【００３５】
また図２に示すように、証明カード１０はカード基材１１に裏面１１ｂ側から埋め込まれたＩＣチップ１９を有している。さらに、カード基材１１の裏面１１ｂには、「備考欄」等の追記の欄が設けられている。さらにまた証明カード１０には、第１凸部１５と重なるようにして共通の絵柄１４が設けられている。この場合、第１凸部１５は「桜の花びら」の図形又は文字を含み、共通絵柄１４は「富士山」および「ＪＡＰＡＮ」の図形又は文字を含む。
【００３６】
次に図５によりカード基材１１の層構成について説明する。
【００３７】
図５に示すように、カード基材１１は中央を境として表面１１ａ側と裏面１１ｂ側で対象の層構成を有する。
【００３８】
具体的には、カード基材１１は中央の背景印刷層を含む２層のコア層２１、２１と、コア層２１、２１の外側のレーザ発色層２２、２２と、レーザ発色層２２、２２の外側のオーバーシート層２３、２３とを有する積層体１１Ａからなっている。
【００３９】
このうち、コア層２１、２１は、例えば酸化チタンを含むポリ塩化ビニル（ＰＶＣ）からなる白色層となっている。またレーザ発色層２２、２２はレーザ発色剤を含むＰＶＣからなり、外部からレーザ光を照射することにより証明カード１０に対してレーザ印字を施すことができる。
【００４０】
さらにオーバーシート層２３、２３はＰＶＣからなる透明層となっている。
【００４１】
なおカード基材１１の材料として、ＰＶＣの代わりに、アクリルニトリル−ブタジエン−スチレン共重合体（ＡＢＳ）、ポリエチレンテレフタレート（ＰＥＴ）、ピリエチレンナフタレート（ＰＥＮ）、アクリル樹脂、ポリカーボネート（ＰＣ）、非品質ポリエステル樹脂（例えば三菱樹脂(株)製、太平化学製品(株)社製、「ＰＥＴ−Ｇ」）、ポリプロピレン（ＰＰ）を用いてもよい。
【００４２】
そして本実施の形態においては、カード基材１１の表面１１ａに設けられた第１凸部１５、第２凸部１６ａ、１６ｂおよび第３凸部１７は、いずれもカード基材１１の表面１１ａ側のオーバーシート層２３と一体に形成されている。
【００４３】
また、第２凸部１６ａ、１６ｂおよび第３凸部１７としては、マイクロ文字を含む場合に限られることはなく、例えばマイクロ文字の代わりに凸レンズを含んでいてもよい。この場合、後述のようにカード基材１１の表面１１ａ側のオーバーシート層２３に凸レンズを形成し、凸レンズの焦点位置に合わせてレーザ発色層２２を配置することにより、凸レンズを通してレーザ光を照射してレーザエングレーブによりこのレーザ発色層２２に個別情報を記録することもできる。更に角度を変えてレーザ発色層２２に個別情報を記録することができ、このようにしてＭｕｌｔｉｐｌｅ  Ｌａｓｅｒ  Ｉｍａｇｅ（ＭＬＩ）あるいはＣｈａｎｇｅａｂｌｅ  Ｌａｓｅｒ  Ｉｍａｇｅ（ＣＬＩ）を生成することができる。
【００４４】
次にこのような構成からなる本実施の形態の作用について説明する。
【００４５】
まず図５に示すような積層体１１Ａを含むシートを準備する。
【００４６】
この積層体１１Ａを含むシートは、多面付けされた証明カード１０を作製するものである。この場合、シートのコア層２１、２１には予め背景印刷層が印刷されており、この背景印刷層は共通絵柄１４を含む。共通絵柄１４は、後述する図形又は文字からなる第１凸部１５と調和して、証明カード１０の外面に適切な外観模様を現わすことができる。
【００４７】
次に積層体１１Ａを含むシートに対して、所定間隔で多数のＩＣチップ１９を搭載する。
【００４８】
次に積層体１１Ａを含むシートに対して第１凸部１５、第２凸部１６ａ、１６ｂおよび第３凸部１７を形成する。
【００４９】
この場合、図４に示すように、平滑面３０ａを有する平滑プレート３０と、凹部３１ｂが形成された平滑面３１ａを有する成形プレート３１を準備し、積層体１１Ａを含むシートを平滑プレート３０と成形プレート３１との間で加熱圧縮する。このようにして積層体１１Ａを含むシートに対して第１凸部１５、第２凸部１６ａ、１６ｂおよび第３凸部１７を成形することができる。この場合の成形条件としては積層体１１Ａの材料にも依存するが、加熱温度は８０℃〜２５０℃、成形圧力は０．１ＭＰａ〜４ＭＰａとなっている。
【００５０】
なお、図４において平滑プレート３０および成形プレート３１は、いずれも平板形状を有している。しかしながら、平滑プレート３０および成形プレート３１は、必ずしも平板形状を有している必要はなく、ドラム形状を有していてもよい。
【００５１】
平滑プレート３０および成形プレート３１がドラム形状を有する場合、積層体１１Ａを含むシートに対して、連続的に第１凸部１５、第２凸部１６ａ、１６ｂおよび第３凸部１７を成形することができる。
【００５２】
このようにして積層体１１Ａを含むシートに、図形又は文字を含む第１凸部１５と、マイクロ文字を含む第２凸部１６ａ、１６ｂと、マイクロ文字を含む第３凸部１７が成形される。
【００５３】
次に積層体１１Ａを含むシートが各証明カード１０毎に打抜かれ、このようにして各々の証明カード１０が作製される。
【００５４】
その後、証明カード１０のカード基材１１に対して、所有者の個別情報、例えば顔画像、情報、氏名、住所、生年月日、性別、社員番号等の情報が印字される。
【００５５】
この場合、カード基材１１の表面１１ａに対してインクジェット、昇華転写、昇華転写と熱転写の併用、オフセット印刷、シルク印刷等により個別情報が印字されて印字部１２が生成される。
【００５６】
また、ＩＣチップ１９が搭載されたシートに対し、レーザ光を照射し、このレーザ光の照射によってレーザ発色層２２、２２にレーザ印字を施すことができる。
【００５７】
このレーザ印字により、個別情報、あるいは個別情報以外の情報からなる印字部１２が形成される。
【００５８】
このようにしてカード基材１１の表面に印字部１２が生成された証明カード１０が得られる。証明カード１０は、次に複数集められ、積層されて貯えられる。
【００５９】
本実施の形態によれば、証明カード１０はカード基材１１の表面１１ａに第１凸部１５と、第２凸部１６ａ、１６ｂと、第３凸部１７とが形成され、このうち第１凸部１５と第３凸部１７がカード基材１１の表面１１ａの右側の下方および上方に配置され、第２凸部１６ａと第２凸部１６ｂがカード基材１１の表面１１ａの左側の上方および下方に配置されている。また第１凸部１５、第２凸部１６ａ、１６ｂおよび第３凸部１７は、いずれも同一高さを有する。このため、証明カード１０を複数集めて積層した場合でも、積層された証明カード１０は４点でバランス良く積層されるため、証明カード１０がいずれか一方側に傾くことはなく、各証明カード１０は水平姿勢を維持して積層される。従って、複数の証明カード１０を安定して積層し、保管することができる（図３参照）。
【００６０】
また第１凸部１５は図形又は文字を含むため意匠性が向上するとともに、図形又は文字を触ることにより真偽判定が容易となる。また図形又は文字を含む第１凸部１５は通常の複写機では再現することがむずかしく、偽造防止効果が向上する。さらにまた、第１凸部１５と第２凸１６ａ、１６ｂはカード基材１１と同一材料で一体に形成されているため、証明カード１０を容易に製造することができ、かつ擦れによって第１凸部１５ａ又は第２凸部１６ａ、１６ｂが剥離することはない。
【００６１】
次に図９および図１０に証明カード１０の比較例を示す。図９および図１０に示すように、比較例としての証明カード１０は基材１１の表面１１ａの右側の下方のみに第１凸部１５を有し、基材１１の左側には第２凸部は設けられていない。このため証明カード１０を複数集めて積層した場合、証明カード１０の右側がかさ高となり全体として傾斜してしまう。これに対して本実施の形態によれば、証明カード１０を積層して配置した場合でも証明カード１０が一方向に傾斜してしまうことはない。
【００６２】
次に本発明の変形例について図６乃至図８により説明する。図６に示す変形例は、証明カード１０のカード基材１１の表面１１ａのうち右側の中央部に第１凸部１５と共通絵柄１４を設けるとともに、カード基材１１の表面１１ａのうち左側の上方に第２凸部１６ａを設け、左側の下方に第２凸部１６ｂを設けたものである。
【００６３】
図６において、他の構成は図１乃至図５に示す実施の形態と略同一である。図６において、図１乃至図５に示す実施の形態と同一部分には同一符号を付して詳細な説明は省略する。
【００６４】
図６に示す証明カード１０において、カード基材１１の表面１１ａのうち右側の中央部に第１凸部１５が設けられ、カード基材１１ａの左側の上方に第２凸部１６ａが設けられ、左側の下方に第２凸部１６ｂが設けられているため、複数の証明カード１０を積層しても、証明カード１０は３点でバランス良く積層されるため、証明カード１０が全体として傾くことはない。
【００６５】
なお、図６において証明カード１０には、第３凸部１７は設けられていない。
【００６６】
次に本発明の他の変形例について図７により説明する。図７に示す変形例は、証明カード１０のカード基材１１の表面１１ａのうち右側の中央部に第１凸部１５と共通絵柄１４を設けるとともに、カード基材１１の表面１１ａのうち左側の中央部に第２凸部１６ａを設けたものである。
【００６７】
図７において、他の構成は図１乃至図５に示す実施の形態と略同一である。図７において、図１乃至図５に示す実施の形態と同一部分には同一符号を付して詳細な説明は省略する。
【００６８】
図７に示す証明カード１０において、カード基材１１の表面１１ａのうち右側の中央部に第１凸部１５が設けられ、カード基材１１ａの左側の中央部に第２凸部１６ａが設けられているため、複数の証明カード１０を積層しても、証明カード１０は２箇所でバランス良く積層されるため、証明カード１０が全体として傾くことはない。
【００６９】
なお、図７において証明カード１０には、第２凸部１６ｂあるいは第３凸部１７は設けられていない。
【００７０】
次に本発明の他の変形例について図８により説明する。図８に示す変形例は、証明カード１０のカード基材１１の表面１１ａのうち右側の中央部に第１凸部１５と共通絵柄１４を設けるとともに、カード基材１１の表面１１ａのうち左側の中央部に第２凸部１６ａを設けたものである。ここで第２凸部１６ａとしては、マイクロ文字を含むものではなく、「ＪＡＰＡＮ  ＪＡＰＡＮ」の文字を含むものから構成されている。
【００７１】
図８において、他の構成は図１乃至図５に示す実施の形態と略同一である。図８において、図１乃至図５に示す実施の形態と同一部分には同一符号を付して詳細な説明は省略する。
【００７２】
図８に示す証明カード１０において、カード基材１１の表面１１ａのうち右側の中央部に第１凸部１５が設けられ、カード基材１１ａの左側の中央部に第２凸部１６ａが設けられているため、複数の証明カード１０を積層しても、証明カード１０は２箇所でバランス良く積層されるため、証明カード１０が全体として傾くことはない。
【００７３】
なお、図８において、証明カード１０には第２凸部１６ｂあるいは第３凸部１７は設けられていない。
【符号の説明】
【００７４】
１０  証明カード
１１  カード基材
１１ａ  表面
１１ｂ  裏面
１１Ａ  積層体
１２  印字部
１３  備考欄
１４  共通絵柄
１５  第１凸部
１６ａ、１６ｂ  第２凸部
１７  第３凸部
１９  ＩＣチップ
３０  平滑プレート
３１  成形プレート
【図１】
2015077748.tif 000003
【図２】
2015077748.tif 000004
【図３】
2015077748.tif 000005
【図４】
2015077748.tif 000006
【図５】
2015077748.tif 000007
【図６】
2015077748.tif 000008
【図７】
2015077748.tif 000009
【図８】
2015077748.tif 000010
【図９】
2015077748.tif 000011
【図１０】
2015077748.tif 000012